(57)【要約】【課題】ユーザーの利便性を向上させる画像形成装置を提供する。【解決手段】画像形成装置１は、読取部２０と、抽出部１０１と、割当部１０２とを備える。読取部２０は、予め定められた順番で並べられている複数の読取対象情報を含む所定画像を第１用紙から読み取る。抽出部１０１は、所定画像から、複数の読取対象情報をそれぞれ抽出する。割当部１０２は、複数の読取対象情報の各々に対して識別情報を割り当てる。所定画像は、少なくとも問題文を示す情報を含む。複数の読取対象情報の各々は、問題文、又は、問題文に対する選択肢を示す。【選択図】図４
2020068476.tif 000002
【特許請求の範囲】
【請求項１】
読取部と、抽出部と、割当部とを備え、
前記読取部は、予め定められた順番で並べられている複数の読取対象情報を含む所定画像を第１用紙から読取り、
前記抽出部は、前記所定画像から、前記複数の読取対象情報をそれぞれ抽出し、
前記割当部は、前記複数の読取対象情報の各々に対して識別情報を割り当て、
前記所定画像は、少なくとも問題文を示す情報を含み、
前記複数の読取対象情報の各々は、前記問題文、又は、前記問題文に対する選択肢を示す、画像形成装置。
【請求項２】
前記予め定められた順番と異なる順番となるように、前記複数の読取対象情報を並べ替える変更部を更に備え、
前記変更部は、並べ替えた後の前記複数の読取対象情報の各々に対して、並び順を示す順番情報を昇順で割り当てる、請求項１に記載の画像形成装置。
【請求項３】
並べ替えられた後の前記複数の読取対象情報を含む変更後画像を第２用紙に印刷する画像形成部を更に備え、
前記変更後画像は、前記所定画像に対して前記複数の読取対象情報が並び替えられた画像を示す、請求項２に記載の画像形成装置。
【請求項４】
変更記憶部を更に備え、
前記変更記憶部は、同一の前記読取対象情報に対して、並べ替え前の順番と、並べ替え後の順番とを対応づけて記憶し、
前記変更部は、前記識別情報を介して、前記並べ替え前の順番と、前記並べ替え後の順番とを対応づけて、前記変更記憶部に記憶させる、請求項３に記載の画像形成装置。
【請求項５】
検索部と、判定部とを更に備え、
前記問題文は、前記問題文に対する解答を記入するための解答欄を有し、
前記読取部は、前記問題文に対する前記解答が前記解答欄に記入された前記第２用紙を読取って、解答画像を生成し、
前記抽出部は、前記解答画像から、前記読取対象情報と、前記解答を示す解答情報とを抽出し、
前記検索部は、
前記読取対象情報の並べ替え後の順番に基づいて、前記読取対象情報の並べ替え前の順番を前記変更記憶部から検索し、
前記読取対象情報の並べ替え前の順番に基づいて、前記読取対象情報に対する正解を示す正解情報を取得し、
前記判定部は、前記正解情報と、前記解答情報とが、同一であるか否かを判定する、請求項４に記載の画像形成装置。
【請求項６】
正解記憶部と、正解登録部とを更に備え、
前記正解記憶部は、前記読取対象情報の並べ替え前の順番と、前記読取対象情報に対する前記正解情報とを記憶し、
前記正解登録部は、前記正解情報を前記正解記憶部に登録し、
前記検索部は、前記正解記憶部から前記正解情報を検索する、請求項５に記載の画像形成装置。
【請求項７】
前記所定画像は前記解答欄の位置を示すマークと、前記解答欄に記入された前記正解情報とを更に含み、
前記正解登録部は、
前記マークに基づいて、前記所定画像から前記正解情報を抽出し、
前記正解情報を前記正解記憶部に登録する、請求項６に記載の画像形成装置。
【請求項８】
前記正解登録部は、
前記解答欄が空欄の前記所定画像と、前記解答欄に前記正解が記入された前記所定画像とを比較して、前記正解情報を抽出し、
前記正解情報を前記正解記憶部に登録する、請求項６に記載の画像形成装置。
【請求項９】
前記正解登録部は、外部記憶装置に記憶された前記正解情報を前記正解記憶部に登録する、請求項６に記載の画像形成装置。
【請求項１０】
前記判定部が同一であると判定した前記読取対象情報の数に基づいて、採点結果を生成する採点部を更に備える、請求項５から請求項９のいずれか１項に記載の画像形成装置。
【請求項１１】
前記所定画像は、複数科目の前記読取対象情報を含み、
前記採点部は、複数科目の合計点を算出する、請求項１０に記載の画像形成装置。
【請求項１２】
前記所定画像は、複数科目の前記読取対象情報を含み、
前記採点部は、科目ごとの得点を算出する、請求項１０又は請求項１１に記載の画像形成装置。
【請求項１３】
前記読取対象情報ごとに配点を設定する設定部を更に備える、請求項１０から請求項１２のいずれか１項に記載の画像形成装置。
【請求項１４】
複数受験者の前記採点結果を集計して集計結果を生成する集計部を更に備える、請求項１０から請求項１３のいずれか１項に記載の画像形成装置。
【請求項１５】
前記採点結果に応じて受験者を等級分けする等級部を更に備え、
前記集計結果は等級分けした結果を含む、請求項１４に記載の画像形成装置。
【請求項１６】
外部の情報処理端末と通信するための通信部を更に備え、
前記採点結果、及び前記集計結果のうちの少なくとも一方を電子メールで前記情報処理端末に送信する、請求項１４又は請求項１５に記載の画像形成装置。
【発明の詳細な説明】
【技術分野】
【０００１】
本発明は、画像形成装置に関する。
【背景技術】
【０００２】
試験の採点作業は、正確さと多大な労力とを必要とする。従来から、画像形成装置を使用して採点作業を補助することが検討されている。例えば、特許文献１に記載の画像形成装置は、複数の答案用紙の同じ解答欄だけを集約した解答集を利用して、採点作業を補助している。特許文献１に記載の画像形成装置は、具体的には、以下のようにして、採点作業を補助している。
【０００３】
特許文献１に記載の画像形成装置は、受験者の解答が記載された複数の答案用紙をスキャナーで読取って、複数の答案用紙から同じ解答欄だけを集約した解答集を作成し、解答集を印刷する。採点者が、解答集を採点する。特許文献１に記載の画像形成装置は、採点済みの解答集をスキャナーで読取って、採点済みの解答集を解答欄ごとに分離する。そして、特許文献１に記載の画像形成装置は、分離した解答欄を受験者ごとに集約して採点後の答案用紙を作成し、採点後の答案用紙を印刷する。
【先行技術文献】
【特許文献】
【０００４】
【特許文献１】特開２０１８−３７８３２号公報
【発明の概要】
【発明が解決しようとする課題】
【０００５】
特許文献１に記載の画像形成装置は、解答集を作成することによって、採点作業を効率化する。しかしながら、特許文献１に記載の画像形成装置を使用しても、解答の正否は採点者が判断しなければならない。したがって、特許文献１に記載の画像形成装置による労力の削減には限度がある。また、特許文献１に記載の画像形成装置は、答案用紙の作成にかかる労力については削減できない。
【０００６】
本発明は、上記課題に鑑みてなされたものであり、答案用紙の作成に係る労力を削減して、ユーザーの利便性を向上できる画像形成装置を提供することを目的としている。
【課題を解決するための手段】
【０００７】
本発明に係る画像形成装置は、読取部と、抽出部と、割当部とを備える。前記読取部は、予め定められた順番で並べられている複数の読取対象情報を含む所定画像を第１用紙から読み取る。前記抽出部は、前記所定画像から、前記複数の読取対象情報をそれぞれ抽出する。前記割当部は、前記複数の読取対象情報の各々に対して識別情報を割り当てる。前記所定画像は、少なくとも問題文を示す情報を含む。前記複数の読取対象情報の各々は、前記問題文、又は、前記問題文に対する選択肢を示す。
【発明の効果】
【０００８】
本発明の画像形成装置によれば、ユーザーの利便性を向上できる。
【図面の簡単な説明】
【０００９】
【図１】本実施形態に係る画像形成装置の構成を示す図である。
【図２】本実施形態に係る記述式の答案用紙の一例を示す図である。
【図３】本実施形態に係る選択式の答案用紙の一例を示す図である。
【図４】本実施形態に係る画像形成装置のブロック図である。
【図５】本実施形態に係る変更記憶部が記憶する表形式を示す。
【図６】本実施形態に係る画像形成装置の動作を示すフローチャートである。
【図７】本実施形態に係る第１画面を示す図である。
【図８】本実施形態に係る第２画面を示す図である。
【図９】本実施形態に係る解答欄に記入された答案用紙の一例を示す図である。
【図１０】本実施形態に係る正解記憶部が記憶する表形式を示す。
【図１１】本実施形態に係る画像形成装置の動作を示すフローチャートである。
【図１２】本実施形態に係る第３画面を示す図である。
【図１３】本実施形態に係る第４画面を示す図である。
【図１４】記述式の答案用紙の採点の方法を説明するための図である。
【図１５】選択式の答案用紙の採点の方法を説明するための図である。
【図１６】本実施形態に係る画像形成装置の動作を示すフローチャートである。
【図１７】本実施形態に係る第５画面を示す図である。
【図１８】本実施形態に係る第６画面を示す。
【図１９】（ａ）は、受験者に送信される電子メールである。（ｂ）は、試験担当者に送信される電子メールである。
【発明を実施するための形態】
【００１０】
以下、本発明の実施形態について、図面（図１〜図１９）を参照しながら説明する。なお、図中、同一又は相当部分については同一の参照符号を付して説明を繰り返さない。
【００１１】
まず、図１を参照して、本実施形態に係る画像形成装置１について説明する。図１は、本実施形態に係る画像形成装置１の構成を示す図である。図１に示すように、本実施形態の画像形成装置１は、カラー複合機である。
【００１２】
画像形成装置１は、用紙Ｐに画像を形成する。用紙Ｐは、記録媒体の１例である。用紙Ｐは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１３】
図１に示すように、画像形成装置１は、操作部１０、読取部２０、原稿搬送部３０、通信部４０、給紙部５０、シート搬送部６０、画像形成部７０、及び制御部１００を備える。
【００１４】
操作部１０は、各種の画面を表示する。また、操作部１０は、ユーザーによる操作を受け付ける。具体的には、操作部１０は、タッチパネル１１を有する。タッチパネル１１は、ディスプレー１１ａ、及びタッチセンサー１１ｂを有する。
【００１５】
ディスプレー１１ａは、各種の画面を表示する。ディスプレー１１ａは、例えば、液晶ディスプレー、又は有機ＥＬ（ｅｌｅｃｔｒｏｌｕｍｉｎｅｓｃｅｎｃｅ）ディスプレーである。
【００１６】
タッチセンサー１１ｂは、作業者による操作を受け付ける。具体的には、タッチセンサー１１ｂは、ディスプレー１１ａの表示面に重畳するように配置されている。
【００１７】
読取部２０は、原稿Ｄを読み取って、画像情報を生成する。本実施形態において、原稿Ｄは、答案用紙である。読取部２０は、プラテン２１と、光源ユニット２２と、光学系２３と、撮像装置２４とを有する。プラテン２１は、典型的にはガラス製である。光源ユニット２２は、発光ダイオードのような光源と、反射ミラーとを備える。プラテン２１に載置された原稿Ｄに対し、光源ユニット２２は、副走査方向Ｘ１に沿って移動しながら光を照射し、原稿Ｄからの反射光を光学系２３に入射する。光学系２３は反射光を撮像装置２４に導き、撮像装置２４は、反射光を撮像して画像情報を生成する。撮像装置２４は、電荷結合素子のような撮像素子を含む。読取部２０は、例えば、スキャナーである。
【００１８】
原稿搬送部３０は、所定の原稿読取位置Ｒを通過するように原稿Ｄを搬送する。原稿搬送部３０は、原稿載置トレイ３１と、原稿搬送装置３２と、原稿排出トレイ３３とを有する。原稿載置トレイ３１に載置された原稿Ｄが、原稿搬送装置３２によって１枚ずつ原稿排出トレイ３３まで搬送される。
【００１９】
詳しくは、原稿搬送装置３２は、複数のガイド板と、複数の搬送ローラー対とを備える。複数のガイド板が所定の搬送経路を形成し、複数の搬送ローラー対は、所定の搬送経路に沿って配置される。複数の搬送ローラー対が回転することにより、原稿Ｄが搬送される。具体的には、原稿Ｄは、原稿読取位置Ｒを経由して、原稿排出トレイ３３まで搬送される。
【００２０】
原稿搬送部３０が原稿Ｄを搬送する場合、読取部２０の光源ユニット２２は、原稿読取位置Ｒに対向する位置に移動している。光源ユニット２２は、原稿読取位置Ｒを通過する原稿Ｄに対し、プラテン２１を介して光を照射する。この結果、原稿Ｄからの反射光が撮像装置２４まで導かれて、画像情報が生成される。
【００２１】
通信部４０は、ＬＡＮ（Ｌｏｃａｌ  Ａｒｅａ  Ｎｅｔｗｏｒｋ）のようなネットワークに接続して、各種情報を記憶するデータベースサーバーとの間、及びパーソナルコンピューターのような情報処理端末との間で通信を実行する。通信部４０は、データベースサーバーのようなサーバー装置との間で情報を送受信する。また、通信部４０は、パーソナルコンピューターのような情報処理端末へ向けて、電子メールを送信する。通信部４０は、例えば、ＬＡＮボードのようなネットワークインターフェイスである。
【００２２】
給紙部５０は、複数枚の用紙Ｐを収容し、用紙Ｐを１枚ずつシート搬送部６０へ給紙する。給紙部５０は、着脱可能なカセット５１を有する。カセット５１は、複数枚の用紙Ｐを収容する。
【００２３】
シート搬送部６０は、所定の搬送経路に沿って用紙Ｐを搬送する。シート搬送部６０は、排出トレイ６１と、複数のガイド板と、複数の搬送ローラー対とを有する。複数のガイド板が所定の搬送経路を形成し、複数の搬送ローラー対は、所定の搬送経路に沿って配置される。複数の搬送ローラー対が回転することにより、用紙Ｐが搬送される。詳しくは、用紙Ｐは、画像形成部７０を経由して、排出トレイ６１まで搬送される。
【００２４】
画像形成部７０は、シート搬送部６０によって搬送されている用紙Ｐに画像を形成する。具体的には、画像形成部７０は、画像情報が示す画像を用紙Ｐに形成する。画像情報は、制御部１００、又は読取部２０によって生成される。
【００２５】
画像形成部７０は、電子写真方式によって用紙Ｐに画像を形成し、画像を加熱及び加圧して用紙Ｐに画像を定着させる。具体的には、画像形成部７０は、感光体ドラムと、帯電装置と、露光装置と、現像装置と、転写装置と、除電装置と、定着装置とを有し、トナーを用いて用紙Ｐにトナー画像を形成する。
【００２６】
制御部１００は、画像形成装置１の各部を制御する。制御部１００は、プロセッサー、及び制御記憶部を備える。
【００２７】
プロセッサーは、制御記憶部に記憶された制御プログラムを実行することによって、数値計算、情報処理、及び機器制御のような処理をする。制御部１００のプロセッサーは、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）である。
【００２８】
制御記憶部は、制御プログラム、及び各種の情報を記憶する。制御記憶部は、例えば、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。
【００２９】
次に、図２〜図１９を参照して、制御部１００について更に説明する。本実施形態において、制御部１００は、答案用紙の作成、正解の登録、及び答案用紙の採点の動作を実行する。以下、答案用紙の作成、正解の登録、及び答案用紙の採点について説明する。
【００３０】
（答案用紙の作成）
まず、図２〜図７を参照して、制御部１００による答案用紙の作成について説明する。本実施形態において、答案用紙は、複数の問題文を示す。また、答案用紙は、記述式の答案用紙及び選択式の答案用紙を含む。
【００３１】
まず、図２を参照して、記述式の答案用紙について説明する。図２は、本実施形態に係る記述式の答案用紙の一例を示す図である。詳しくは、図２（ａ）は、問題文を並べ替える前の答案用紙Ｐ１を示す図である。図２（ｂ）は、問題文を並べ替えた後の答案用紙Ｐ２を示す図である。制御部１００は、答案用紙Ｐ１に対応する画像に基づいて、答案用紙Ｐ２に対応する画像を生成する。
【００３２】
図２（ａ）に示すように、答案用紙Ｐ１は、試験欄Ｋと、受験者欄Ｎと、問題欄Ｑとを有する。
【００３３】
試験欄Ｋは、試験を特定する欄である。試験欄Ｋは、科目欄Ｋ１、及び試験番号欄Ｋ２を有する。科目欄Ｋ１は、試験科目を示す欄である。図２（ａ）において、科目欄Ｋ１は、試験科目が「文法」であることを示す。試験番号欄Ｋ２は、同じ科目における試験の通し番号を示す欄である。図２（ａ）において、試験番号欄Ｋ２は、科目「文法」の試験の通し番号が「試験番号０１１」であることを示す。
【００３４】
受験者欄Ｎは、受験者を特定する欄である。受験者欄Ｎは、受験番号欄Ｎ１、及び氏名欄Ｎ２を有する。受験番号欄Ｎ１と氏名欄Ｎ２とには下線が引かれている。受験番号欄Ｎ１は、受験者ごとに決められた受験番号を記入する欄である。図２（ａ）において、受験番号欄Ｎ１は、未記入であることを示す。氏名欄Ｎ２は、受験者の氏名を記入する欄である。図２（ａ）において、氏名欄Ｎ２は、未記入であることを示す。
【００３５】
問題欄Ｑは、問題を示す欄である。本実施形態において、問題欄Ｑは、第１問題文、第２問題文、及び第３問題文を有する。制御部１００は、各問題文に識別情報を割り当てる。第１問題文から第３問題文には、識別情報Ｑ１から識別情報Ｑ３が割り当てられている。
【００３６】
第１問題文は、答案用紙Ｐ１の第１問の内容を示す。図２（ａ）において、第１問題文は、答案用紙Ｐ１の第１問が「人、場所、物の名前を示す言葉の品詞」を受験者に問う問題であることを示す。
【００３７】
第２問題文は、答案用紙Ｐ１の第２問の内容を示す。図２（ａ）において、第２問題文は、答案用紙Ｐ１の第２問が「名詞の代わりに使う言葉の品詞」を受験者に問う問題であることを示す。
【００３８】
第３問題文は、答案用紙Ｐ１の第３問の内容を示す。図２（ａ）において、第３問題文は、答案用紙Ｐ１の第３問が「動作や状態を示す言葉の品詞」を受験者に問う問題であることを示す。
【００３９】
第１問題文、第２問題文、及び第３問題文は、下線で示す解答欄を有している。下線は、解答欄の位置を示すマークの一例である。なお、問題欄Ｑは、第３問題文以降に複数の問題文を有している。
【００４０】
図２（ｂ）に示すように、答案用紙Ｐ２は、答案用紙Ｐ１の問題欄Ｑの問題の第１問題文、第２問題文、及び第３問題文の順番を並べ替えた答案用紙である。詳しくは、図２（ａ）に示す第１問（識別情報Ｑ１が割り当てられた第１問題文）は、図２（ｂ）において、第２問に並べ替えられている。図２（ａ）に示す第２問（識別情報Ｑ２が割り当てられた第２問題文）は、図２（ｂ）において、第３問に並べ替えられている。図２（ａ）に示す第３問（識別情報Ｑ３が割り当てられた第３問題文）は、図２（ｂ）において、第１問に並べ替えられている。
【００４１】
続いて、図３を参照して、本実施形態に係る選択式の答案用紙について説明する。図３は、本実施形態に係る選択式の答案用紙の一例を示す図である。詳しくは、図３（ａ）は、選択肢を並べ替える前の答案用紙Ｐ３を示す図である。図３（ｂ）は、選択肢を並べ替えた後の答案用紙Ｐ４を示す図である。制御部１００は、答案用紙Ｐ３に対応する画像に基づいて、答案用紙Ｐ４に対応する画像を生成する。
【００４２】
答案用紙Ｐ３は、図２（ａ）を参照して説明した答案用紙Ｐ１とは、試験番号欄Ｋ２、及び問題欄Ｑが異なる。以下、答案用紙Ｐ３について答案用紙Ｐ１と異なる点についてのみ説明し、重複する部分についての説明は割愛する。
【００４３】
図３（ａ）に示すように、答案用紙Ｐ３の試験番号欄Ｋ２は、科目「文法」の試験の通し番号が「試験番号０１２」であることを示す。答案用紙Ｐ３の問題欄Ｑは、第１問題文を有する。第１問題文は、下線で示す解答欄を有する。また、第１問題文は、複数の選択肢を有する。本実施形態において、第１問題文は、第１選択肢「名詞」、第２選択肢「形容詞」、第３選択肢「動詞」、及び第４選択肢「代名詞」を有する。制御部１００は、各選択肢に識別情報を割り当てる。本実施形態において、第１選択肢から第４選択肢には、識別情報Ａ１から識別情報Ａ４が割り当てられる。
【００４４】
また、第１問題文は、各選択肢を示す記号を有する。具体的には、答案用紙Ｐ３の第１問題文は、記号「ａ」〜記号「ｄ」を有する。答案用紙Ｐ３の第１問題文において、記号「ａ」は、第１選択肢「名詞」に対応づけられる。換言すると、第１選択肢「名詞」は、記号「ａ」に対応する位置に配置されている。記号「ｂ」は、第２選択肢「形容詞」に対応づけられる。換言すると、第２選択肢「形容詞」は、記号「ｂ」に対応する位置に配置されている。記号「ｃ」は、第３選択肢「動詞」に対応づけられる。換言すると、第３選択肢「動詞」は、記号「ｃ」に対応する位置に配置されている。記号「ｄ」は、第４選択肢「代名詞」に対応づけられる。換言すると、第４選択肢「代名詞」は、記号「ｄ」に対応する位置に配置されている。受験者は、第１選択肢ａ、第２選択肢ｂ、第３選択肢ｃ、及び第４選択肢ｄの４つの選択肢から第１問題文に対する解答を選択する。具体的には、受験者は、４つの記号「ａ」〜記号「ｄ」から第１問題文に対する解答を選択する。
【００４５】
なお、問題欄Ｑは、第１問題文以降に複数の問題文を有している。答案用紙Ｐ３において、問題文はいずれも選択式の問題文である。
【００４６】
図３（ｂ）に示すように、答案用紙Ｐ４は、答案用紙Ｐ３の第１問題文における第１選択肢、第２選択肢、第３選択肢、及び第４選択肢の順番を並べ替えた答案用紙である。
【００４７】
詳しくは、図３（ａ）に示す第１選択肢「名詞」は、図３（ｂ）において、記号「ｄ」に対応する位置に並び替えられている。換言すると、答案用紙Ｐ３において第１選択肢であった選択肢「名詞」は、答案用紙Ｐ４において第４選択肢となる。
【００４８】
図３（ａ）に示す第２選択肢「形容詞」は、図３（ｂ）において、記号「ａ」に対応する位置に並び替えられている。換言すると、答案用紙Ｐ３において第２選択肢であった選択肢「形容詞」は、答案用紙Ｐ４において第１選択肢となる。
【００４９】
図３（ａ）に示す第３選択肢「動詞」は、図３（ｂ）において、記号「ｂ」に対応する位置に並び替えられている。換言すると、答案用紙Ｐ３において第３選択肢であった選択肢「動詞」は、答案用紙Ｐ４において第２選択肢となる。
【００５０】
図３（ａ）に示す第４選択肢「代名詞」は、図３（ｂ）において、記号「ｃ」に対応する位置に並び替えられている。換言すると、答案用紙Ｐ３において第４選択肢であった選択肢「代名詞」は、答案用紙Ｐ４において第３選択肢となる。
【００５１】
次に、図４を参照して、本実施形態の制御部１００の構成について説明する。図４は、本実施形態の画像形成装置１の構成を示すブロック図である。図４に示すように、画像形成装置１は、ネットワーク２を介して、データベースサーバー３、及び情報処理端末４と情報の送受信が可能である。
【００５２】
データベースサーバー３は、答案用紙の採点と関連する情報を記憶するデータベースを有する。データベースは、例えば、受験者の氏名、受験番号、受験者のメールアドレス、及び現在に至るまでの成績を記憶している。情報処理端末４は、受験者、又は試験担当者が使用するパーソナルコンピューターである。
【００５３】
制御部１００は、抽出部１０１、割当部１０２、変更部１０３、変更記憶部１０４、正解記憶部１０５、正解登録部１０６、検索部１０７、判定部１０８、採点部１０９、設定部１１０、集計部１１１、等級部１１２、及び出力部１１３を有する。
【００５４】
具体的には、制御部１００のプロセッサーは、制御プログラムを実行することによって、抽出部１０１、割当部１０２、変更部１０３、変更記憶部１０４、正解記憶部１０５、正解登録部１０６、検索部１０７、判定部１０８、採点部１０９、設定部１１０、集計部１１１、等級部１１２、及び出力部１１３として機能する。
【００５５】
また、抽出部１０１、割当部１０２、変更部１０３、変更記憶部１０４、正解記憶部１０５、正解登録部１０６、検索部１０７、判定部１０８、採点部１０９、設定部１１０、集計部１１１、等級部１１２、及び出力部１１３は、連携して試験用アプリケーションプログラムとして機能する。
【００５６】
抽出部１０１は、所定画像から、複数の読取対象情報をそれぞれ抽出する。本実施形態において、所定画像は、図１を参照して説明した読取部２０が、図２（ａ）を参照して説明した答案用紙Ｐ１、又は、図３（ａ）を参照して説明した答案用紙Ｐ３から読取った画像である。所定画像は、予め定められた順番で並べられている複数の読取対象情報を含む。本実施形態において、読取対象情報は、少なくとも問題文を示す情報を含む。読取対象情報は、問題文を示す情報を含む。また、読取対象情報は、問題文に対する選択肢を示す情報を含む。
【００５７】
具体的には、読取対象情報は、図２（ａ）で既に説明した第１問題文を示す情報、第２問題文を示す情報、及び第３問題文を示す情報を含む。また、読取対象情報は、図３（ａ）で既に説明した第１選択肢を示す情報、第２選択肢を示す情報、第３選択肢を示す情報、及び第４選択肢を示す情報を含む。抽出部１０１は、例えば、文字認識処理、又は自然言語処理を実行して、所定画像から読取対象情報を抽出する。
【００５８】
割当部１０２は、抽出された複数の読取対象情報の各々に対して識別情報を割り当てる。複数の識別情報の各々は、複数の読取対象情報を識別するための情報である。具体的には、割当部１０２は、図２（ａ）で既に説明した第１問題文を示す情報、第２問題文を示す情報、及び第３問題文を示す情報に、識別情報Ｑ１から識別情報Ｑ３を割り当てる。割当部１０２は、図３（ａ）で既に説明した第１選択肢を示す情報、第２選択肢を示す情報、第３選択肢を示す情報、及び第４選択肢を示す情報に、識別情報Ａ１から識別情報Ａ４を割り当てる。
【００５９】
変更部１０３は、予め定められた順番と異なる順番となるように、複数の読取対象情報を並べ替える。例えば、変更部１０３は、乱数を発生させて、複数の読取対象情報を並び替える。変更部１０３は、並べ替えた後の複数の読取対象情報の各々に対して、並び順を示す順番情報を割り当てる。例えば、変更部１０３は、並べ替えた後の複数の読取対象情報の各々に対して、昇順で順番情報を割り当てる。
【００６０】
具体的には、変更部１０３は、図２（ａ）に示す識別情報Ｑ１からＱ３が割り当てられた問題文を並び替える。変更部１０３は、並び替えた後に、図２（ｂ）に示すように昇順で順番情報を割り当てる。
【００６１】
また、変更部１０３は、図３（ａ）に示す第１選択肢ａから第４選択肢ｄに記載が割り当てられた選択肢を並び替える。変更部１０３は、並び替えた後に、図３（ｂ）に示すように昇順で順番情報を割り当てる。
【００６２】
変更部１０３は、識別情報を介して、並べ替え前の順番と、並べ替え後の順番とを対応づけて、変更記憶部１０４に記憶させる。
【００６３】
変更記憶部１０４は、同一の読取対象情報に対して、並べ替え前の順番と、並べ替え後の順番とを対応づけて記憶する。
【００６４】
図５は、変更記憶部１０４が記憶する表形式を示す。図５に示すように、変更記憶部１０４は、並べ替え前の順番と、並べ替え後の順番とを表形式で記憶する。図５（ａ）は、答案用紙が記述式（図２）の場合に、変更記憶部１０４が記憶する表形式を示す。図５（ｂ）は、答案用紙が選択式（図３）の場合に、変更記憶部１０４が記憶する表形式を示す。
【００６５】
図５（ａ）に示すように、答案用紙が記述式の場合、変更記憶部１０４は、変更後の順番を示す左列と、変更前の順番を示す中列と、問題文に割り当てられた識別情報とを含んでいる。
【００６６】
図５（ｂ）に示すように、答案用紙が選択式の場合、変更記憶部１０４は、変更後の順番を示す左列と、変更前の順番を示す中列と、選択肢に割り当てられた識別情報とを含んでいる。
【００６７】
なお、制御部１００の残りの構成については、他の図とともに後に説明する。
【００６８】
次に、図６〜図８を参照して、本実施形態の画像形成装置１により、順番を並び替えた答案用紙の作成する動作について説明する。図６は、画像形成装置１の動作を示すフローチャートである。
【００６９】
図６に示す動作は、試験担当者が、画像形成装置１にログインして、試験用アプリケーションプログラムを立ち上げることによって開始する。試験用アプリケーションプログラムが立ち上がると、制御部１００は、第１画面が表示されるように、ディスプレー１１ａを制御する。第１画面については、図７を参照して後に説明する。
【００７０】
図６に示すように、ステップＳ１０１において、第１画面の表示中に、試験担当者が「答案用紙の作成」を選択すると、制御部１００は、ディスプレー１１ａに第２画面が表示されるように、ディスプレー１１ａを制御する。第２画面については、図８を参照して後に説明する。動作はステップＳ１０２に進む。
【００７１】
ステップＳ１０２において、第２画面表示中に、試験担当者が「ファイル名／試験名」、及び「問題数」を入力する。動作はステップＳ１０３に進む。ファイル名／試験名については、図８を参照して後述する。
【００７２】
ステップＳ１０３において、第２画面表示中に、試験担当者が原稿搬送部３０に順番を並び替える前の答案用紙を載置する。順番を並び替える前の答案用紙を読取部２０が読取るように、試験担当者が操作部１０を操作する。以下、順番を並び替える前の答案用紙を「第１用紙」と記載する場合がある。読取部２０は、順番を並び替える前の答案用紙を読取って、所定画像を示す情報を生成する。動作はステップＳ１０４に進む。
【００７３】
ステップＳ１０４において、抽出部１０１は、問題文、又は選択肢を示す読取対象情報を所定画像から抽出する。割当部１０２は、読取対象情報の各々に識別情報を割り当てる。変更部１０３は、読取対象情報が並べられている順番を変更する。変更部１０３は、識別情報を介して、並べ替えた後の順番と、並べ替える前の順番とを変更記憶部１０４に記憶させる。
【００７４】
ステップＳ１０５において、画像形成部７０は、問題文、又は選択肢が並べ替えられた後の答案用紙を印刷する。具体的には、画像形成部７０は、図２（ｂ）、及び図３（ｂ）に示す答案用紙を印刷する。以下、問題文、又は選択肢が並べ替えられた後の答案用紙を「第２用紙」と記載する。なお、問題文、又は選択肢が並べ替えられた後の答案用紙は、図１を参照して説明した空白の用紙Ｐに印刷される。第２用紙が印刷されると、図６に示す動作は完了する。
【００７５】
図７〜図８を参照して、画像形成装置１のディスプレー１１ａに表示される画面について説明する。
【００７６】
図７は、第１画面Ｇ１を示す。第１画面Ｇ１は、試験用アプリケーションプログラムが立ち上がった時に表示される画面である。図７に示すように、第１画面Ｇ１は、「答案用紙の作成」キーＧ１１、「正解の登録」キーＧ１２、及び「採点」キーＧ１３を表示する。「答案用紙の作成」キーＧ１１、「正解の登録」キーＧ１２、及び「採点」キーＧ１３は、ソフトキーである。
【００７７】
試験担当者が、「答案用紙の作成」キーＧ１１を押した場合、順番を並び替えた答案用紙を作成するモードで起動する。試験担当者が、「正解の登録」キーＧ１２を押した場合、試験用アプリケーションプログラムは、正解が記入された答案用紙を登録するモードで起動する。試験担当者が、「採点」キーＧ１３を押した場合、試験用アプリケーションプログラムは、解答が記入された答案用紙を採点するモードで起動する。
【００７８】
図８は、第２画面Ｇ２を示す。第２画面Ｇ２は、順番を並び替える前の答案用紙を登録する画面である。図８に示すように、第２画面Ｇ２は、入力欄Ｇ２１と、「キャンセル」キーＧ２２と、「順番の並び替え」キーＧ２３とを表示する。「キャンセル」キーＧ２２、及び「順番の並び替え」キーＧ２３はソフトキーである。
【００７９】
入力欄Ｇ２１は、対象となる試験名と問題数とを入力する欄である。入力欄Ｇ２１は、「ファイル名／試験名」欄Ｇ２１１、及び問題数欄Ｇ２１２を表示する。「ファイル名／試験名」欄Ｇ２１１は、順番を並び替える前の答案用紙を登録する際のファイル名又は試験名を記入する欄である。問題数欄Ｇ２１２を表示する。図８において、入力欄Ｇ２１は、「ファイル名／試験名」が「文法  試験番号０１１」であり、問題数が「５０」であることを示す。
【００８０】
試験担当者が「キャンセル」キーＧ２２を押した場合、読取部２０は順番を並び替える前の答案用紙を読取らない。反対に、試験担当者が、順番を並び替える前の答案用紙を原稿載置トレイ３１に載置して、「順番の並び替え」キーＧ２３を押せば、読取部２０が順番を並び替える前の答案用紙を読取る。そして、制御部１００、及び画像形成部７０が、順番を並び替えた後の変更後画像を用紙Ｐ（第２用紙）に印刷する。また、変更記憶部１０４が、並べ替えた後の順番と、並べ替える前の順番とを関連付けて記憶する。
【００８１】
（正解の登録）
次に、図２（ａ）、図３（ａ）、図４、及び図９〜図１３を参照して、正解の登録について説明する。図９は、本実施形態に係る解答欄に正解が記入された答案用紙の一例を示す図である。詳しくは、図９（ａ）は、記述式の答案用紙Ｐ１（図２（ａ）参照）の解答欄に、正解が記入された答案用紙Ｐ５を示す。
【００８２】
図９（ａ）に示すように、第１問、第２問、及び第３問には、下線で示す解答欄が設けられており、解答欄には問題に対する正解が記入されている。図９（ａ）に示すように、第１問に対する正解は「名詞」である。第２問に対する正解は「代名詞」である、第３問に対する正解は「動詞」である。
【００８３】
図９（ｂ）は、選択式の答案用紙Ｐ３（図３（ａ）参照）の解答欄に正解が記入された答案用紙Ｐ６を示す。図９（ｂ）に示すように、第１問には、下線で示す解答欄が設けられており、解答欄には正解が記入されている。図９（ｂ）に示すように、第１問に対する正解は選択肢「ｄ」である。
【００８４】
次に、図４を参照して、制御部１００の残りの構成のうち、正解の登録と関係する構成について説明する。
【００８５】
正解記憶部１０５は、問題文に対する正解を示す正解情報を記憶する。正解情報は、例えば、問題文に対する正解を示す情報を含む。また、正解情報は、正解の選択肢を示す情報である。正解を示す情報は、例えば、「名詞」である。正解の選択肢は、例えば、「〇」と「×」である。正解記憶部１０５は、科目欄Ｋ１に記載の科目ごと、及び試験番号欄Ｋ２に記載の試験番号ごとに、正解情報を記憶する。
【００８６】
図１０は、正解記憶部１０５が記憶する表形式を示す。図１０に示すように、正解記憶部１０５は、並べ替え前の順番と、正解情報とを表形式で記憶する。図１０（ａ）は、答案用紙が記述式（図２）の場合に、正解記憶部１０５が記憶する表形式を示す。図１０（ｂ）は、答案用紙が選択式（図３）の場合に、正解記憶部１０５が記憶する表形式を示す。
【００８７】
図１０（ａ）に示すように、記述式答案用紙の場合、正解記憶部１０５は、変更前の問題文の順番を示す左列と、問題文に対する正解情報を示す右列とを含んでいる。問題文に対する正解情報は、例えば、「名詞」、「代名詞」、及び「動詞」である。
【００８８】
図１０（ｂ）に示すように、選択式答案用紙の場合、正解記憶部１０５は、変更前の選択肢の順番を示す左列と、正解の選択肢を示す正解情報を示す右列とを含んでいる。正解の選択肢を示す正解情報は、その選択肢が正解である場合「〇」を示しその選択肢が不正解である場合「×」を示す。
【００８９】
正解登録部１０６は、正解情報を正解記憶部１０５に登録する。正解登録部１０６は、例えば、答案用紙Ｐ５、又答案用紙Ｐ６を使用して、正解記憶部１０５に正解情報を登録する。
【００９０】
具体的には、読取部２０は、答案用紙Ｐ５、又は答案用紙Ｐ６を読取って、下線に正解情報が記入された画像情報を生成する。本実施形態において、正解登録部１０６は、下線に基づいて、正解が記載されている部分の位置を特定する。正解登録部１０６は、例えば、文字認識処理、自然言語処理を使用して、正解が記載されている部分の画像情報から正解情報を抽出する。正解登録部１０６は、正解情報を正解記憶部１０５に登録する。
【００９１】
また、正解登録部１０６は、答案用紙Ｐ１、及び答案用紙Ｐ５を使用して、正解記憶部１０５に正解情報を登録してもよい。
【００９２】
具体的には、読取部２０は、答案用紙Ｐ１を読取って正解情報を含まない画像情報を生成する。そして、読取部２０は、答案用紙Ｐ５を読取って正解情報を含む画像情報を生成する。正解登録部１０６は、正解情報を含まない画像情報と、正解情報を含む画像情報とを比較して、正解情報が記載されている部分の位置を特定する。正解登録部１０６は、例えば、文字認識処理、又は自然言語処理を実行して、正解が記載されている部分の画像情報から正解情報を抽出する。正解登録部１０６は、正解情報を正解記憶部１０５に登録する。
【００９３】
更に、正解登録部１０６は、外部記憶装置に記憶された正解情報を正解記憶部１０５に記憶さてもよい。具体的には、正解登録部１０６は、例えば、ＵＳＢ（Ｕｎｉｖｅｒｓａｌ  Ｓｅｒｉａｌ  Ｂｕｓ）メモリー、外付けＨＤＤ、又は外部のサーバー装置が記憶している正解情報を、正解記憶部１０５に記憶させてもよい。
【００９４】
なお、制御部１００の残りの構成については、他の図とともに後に説明する。
【００９５】
次に、図１１〜図１３を参照して、画像形成装置１に正解情報を登録する動作について説明する。図１１は、画像形成装置１の動作を示すフローチャートである。
【００９６】
図１１に示す動作は、試験担当者が、画像形成装置１にログインして、試験用アプリケーションプログラムを立ち上げることによって開始する。試験用アプリケーションプログラムが立ち上がると、制御部１００は、第１画面Ｇ１が表示されるように、ディスプレー１１ａを制御する。
【００９７】
ステップＳ２０１において、第１画面Ｇ１の表示中に、試験担当者が「正解の登録」を選択すると、制御部１００は、第３画面が表示されるように、ディスプレー１１ａを制御する。第３画面については、図１２を参照して後に説明する。動作はステップＳ２０２に進む。
【００９８】
ステップＳ２０２において、第３画面表示中に、試験担当者が「ファイル名／試験名」、及び「パスワード」を入力する。動作はステップＳ２０３に進む。
【００９９】
ステップＳ２０３において、第３画面表示中に、試験担当者が原稿搬送部３０に正解が記入された答案用紙を載置する。正解が記入された答案用紙を読取部２０が読取るように、試験担当者が操作部１０を操作する。読取部２０は、正解画像情報を生成する。動作はステップＳ２０４に進む。
【０１００】
ステップＳ２０４において、正解登録部１０６は、ファイル名／試験名、パスワード、及び正解情報を正解記憶部１０５に登録する。制御部１００は、ディスプレー１１ａに第４画面が表示されるように、ディスプレー１１ａを制御する。第４画面については、図１３を参照して後に説明する。動作はステップＳ２０５に進む。
【０１０１】
ステップＳ２０５において、第４画面表示中に、試験担当者が配点の設定等を入力すると、設定部１１０は、採点部１０９の配点を設定する。配点が設定されると、図１１に示す動作は完了する。
【０１０２】
図１２〜図１３を参照して、画像形成装置１のディスプレー１１ａに表示される画面について説明する。
【０１０３】
図１２は、第３画面Ｇ３を示す。第３画面Ｇ３は、正解答案用紙を登録する画面である。図１２に示すように、第３画面Ｇ３は、入力欄Ｇ３１と、「キャンセル」キーＧ３２と、「開始」キーＧ３３とを含む。「キャンセル」キーＧ３２、及び「開始」キーＧ３３はソフトキーである。
【０１０４】
入力欄Ｇ３１は、対象となる試験名とパスワードとを入力する欄である。入力欄Ｇ３１は、「ファイル名／試験名」欄Ｇ３１１、及びパスワード欄Ｇ３１２を表示する。「ファイル名／試験名」欄Ｇ３１１は、正解画像として登録されるファイルのファイル名又は試験名を記入する欄である。パスワード欄Ｇ３１２は、ファイルを閲覧するための閲覧のパスワードを記入する欄である。試験の完了前に試験の正解が不正に流出するのを防ぐため、パスワードによりファイルの閲覧が制限されている。図１２において、入力欄Ｇ３１は、「ファイル名／試験名」が「文法  試験番号０１１」であり、パスワードが「６３９４」であることを示す。
【０１０５】
試験担当者が「キャンセル」キーＧ３２を押した場合、正解登録部１０６は正解を正解記憶部１０５に記憶させない。反対に、試験担当者が、正解の記入されている答案用紙を原稿載置トレイ３１に載置して、「開始」キーＧ３３を押せば、読取部２０が正解の記入されている答案用紙を読取って正解画像情報を生成する。正解登録部１０６は、正解画像情報から正解情報を抽出し、正解情報を正解記憶部１０５に登録する。
【０１０６】
図１３は、第４画面Ｇ４を示す。第４画面Ｇ４は、配点等を設定する画面である。図１３に示すように、第４画面Ｇ４は、「スキャン結果」欄Ｇ４１と、配点設定欄Ｇ４２と、まとめ欄Ｇ４３と、「キャンセル」キーＧ４４と、「登録」キーＧ４５とを表示する。「キャンセル」キーＧ４４、及び「登録」キーＧ４５はソフトキーである。
【０１０７】
「スキャン結果」欄Ｇ４１は、正解記憶部１０５が記憶している試験科目、試験番号、及び問題数等を表示する欄である。「スキャン結果」欄Ｇ４１は、表示欄Ｇ４１１と、スクロールバーＧ４１２とを含む。表示欄Ｇ４１１は、試験科目、試験番号、問題数等を表示する欄である。スクロールバーＧ４１２は、表示欄Ｇ４１１の表示領域を変更して、一度に表示できない情報を表示するためのスクロールバーである。図１３において、「スキャン結果」欄Ｇ４１は、「文法  試験番号０１１」の問題数が「５０問」であることを示す。
【０１０８】
配点設定欄Ｇ４２は、配点を設定する欄である。配点設定欄Ｇ４２は、「傾斜配点」ボックスＧ４２１と、「試験名」欄Ｇ４２２と、「問題番号」欄Ｇ４２３と、「全て」ボックスＧ４２４と、「配点」欄Ｇ４２５と、「キャンセル」キーＧ４２６と、「登録」キーＧ４２７とを表示する。「キャンセル」キーＧ４２６、及び「登録」キーＧ４２７は、ソフトキーである。
【０１０９】
「傾斜配点」ボックスＧ４２１は、配点を初期設定から変更するか否かを示すチェックボックスである。初期設定は、例えば、１点／１問である。「傾斜配点」ボックスＧ４２１がチェックされていれば、特定の問題について配点を変更することを示す。反対に、「傾斜配点」ボックスＧ４２１がチェックされていなければ、配点を初期設定のまま変更しないことを示す。図１３において、「傾斜配点」ボックスＧ４２１は、配点を初期設定から変更することを示す。
【０１１０】
「試験名」欄Ｇ４２２は、配点を変更する試験名を設定するためのドロップダウンリストである。図１３において、「試験名」欄Ｇ４２２は、「文法  試験番号０１１」の配点を初期設定から変更することを示す。
【０１１１】
「問題番号」欄Ｇ４２３は、「試験名」欄Ｇ４２２に記載の試験に含まれる問題のうち、配点を変更する問題の番号を記入するテキストボックスである。図１３において、「問題番号」欄Ｇ４２３は、第１３問の配点を変更することを示す。
【０１１２】
「全て」ボックスＧ４２４は、「試験名」欄Ｇ４２２に記載の試験に含まれる問題の全ての配点を変更するか否かを示すチェックボックスである。「全て」ボックスＧ４２４がチェックされていれば、「試験名」欄Ｇ４２２に記載の試験に含まれる問題の全ての配点を変更する。反対に、「全て」ボックスＧ４２４がチェックされていなければ、「試験名」欄Ｇ４２２に記載の試験に含まれる問題の配点の一部を変更する。図１３において、「全て」ボックスＧ４２４は、全ての問題の配点を変更するのではなく、一部の問題の配点を変更することを示す。
【０１１３】
「配点」欄Ｇ４２５は、「問題番号」欄Ｇ４２３に記載された問題の配点を記入する欄である。図１３において、「配点」欄Ｇ４２５は、第１３問の配点を５点に変更することを示す。
【０１１４】
試験担当者が「キャンセル」キーＧ４２６を押した場合、設定部１１０は配点の変更を採点部１０９に設定しない。反対に、試験担当者が「登録」キーＧ４２７を押した場合、設定部１１０は配点の変更を採点部１０９に設定する。
【０１１５】
まとめ欄Ｇ４３は、採点方法のまとめを記載する欄である。まとめ欄Ｇ４３は、「問題の総数」欄Ｇ４３１と、「合計点」欄Ｇ４３２欄と、「等級分けの方法」欄Ｇ４３３とを含む。
【０１１６】
「問題の総数」欄Ｇ４３１は、正解記憶部１０５に記憶されている複数科目の問題の総数を示す。「問題の総数」欄Ｇ４３１は、正解記憶部１０５の記憶に基づいて記載される。図１３において、「問題の総数」欄Ｇ４３１は、複数科目の問題の総数が５００問であることを示す。
【０１１７】
「合計点」欄Ｇ４３２は、正解記憶部１０５に記憶されている複数科目に対する点数の合計点を示す。「合計点」欄Ｇ４３２は、配点設定欄Ｇ４２に基づいて、変更される。図１３において、「合計点」欄Ｇ４３２は、複数科目の合計点が５０５点であることを示す。
【０１１８】
「等級分けの方法」欄Ｇ４３３は、受験者の等級分け方法を設定するためのドロップダウンリストである。図１３において、「等級分けの方法」欄Ｇ４３３は、等級分けの方法として「文字による等級分け」を選択したことを示す。「文字による等級分け」は、例えば「Ａ〜Ｅ」の五段階により等級分けすることである。
【０１１９】
試験担当者が「キャンセル」キーＧ４４を押した場合、設定部１１０は第４画面Ｇ４で設定した内容を採点部１０９に設定しない。反対に、試験担当者が「登録」キーＧ４５を押した場合、設定部１１０は第４画面Ｇ４で設定した内容を採点部１０９に設定する。
【０１２０】
（答案用紙の採点等）
次に、図４、図９（ａ）、図９（ｂ）及び図１４〜図１９を参照して、問題文、又は選択肢が並べ替えられた答案用紙の採点等について説明する。
【０１２１】
図１４、及び図１５は、画像形成装置１による採点の方法を説明するための図である。図１４は、記述式の答案用紙の採点の方法を説明するための図である。図１４（ａ）は、問題文が並べ替えられた答案用紙Ｐ２に、受験者が氏名、受検番号、及び解答を手書きで記入した答案用紙Ｐ７である。図１４（ｂ）は、図９（ａ）で既に説明した正解が記入された答案用紙Ｐ５である。
【０１２２】
答案用紙Ｐ７の受験者欄Ｎには、受験番号と氏名が記入されている。受験番号欄Ｎ１には、受験者の受験番号が記載されている。図１４（ａ）において、受験番号欄Ｎ１は、受験番号が「１０３９４」であることを示す。図１４（ａ）において、氏名欄Ｎ２は、受験者の氏名が「山田  太郎」であることを示す。
【０１２３】
答案用紙Ｐ７の解答欄には、受験者による解答が解答欄に記入されている。図１４（ａ）において、第１問に対して、受験者の記入した解答は「動詞」である。第２問に対して、受験者の記入した解答は「副詞」である。第３問に対して、受験者の記入した解答は「代名詞」である。
【０１２４】
図１５（ａ）は、答案用紙Ｐ８を示す。答案用紙Ｐ８は、選択肢が並べ替えられた答案用紙Ｐ３に、受験者が氏名、受検番号、及び解答を手書きで記入した答案用紙である。図１５（ｂ）は、図９（ｂ）で既に説明した正解が記入された答案用紙Ｐ６である。
【０１２５】
答案用紙Ｐ８の受験者欄Ｎには、受験番号と氏名が記入されている。受験番号欄Ｎ１には、受験者の受験番号が記載されている。図１５（ａ）において、受験番号欄Ｎ１は、受験番号が「１０３９４」であることを示す。図１５（ａ）において、氏名欄Ｎ２は、受験者の氏名が「山田  太郎」であることを示す。
【０１２６】
答案用紙Ｐ８の解答欄には、受験者により選択された選択肢が記入されている。図１５（ａ）において、第１問に対して受験者が解答欄に記入した選択肢は「ｃ」である。
【０１２７】
次に、図４を参照して、制御部１００の残りの構成のうち、答案用紙の採点等と関係する構成について説明する。
【０１２８】
抽出部１０１は、読取対象情報と、解答を示す解答情報とを解答画像から抽出する。解答画像は、答案用紙Ｐ７、又は答案用紙Ｐ８から、読取部２０が読取った画像である。抽出部１０１は、解答欄の位置を示す下線に基づいて、解答画像から解答欄の画像情報を切り出す。抽出部１０１は、例えば、文字認識処理、又は自然言語処理を実行して、切り出した画像情報から解答情報を抽出する。解答情報は、例えば、「名詞」である。
【０１２９】
検索部１０７は、読取対象情報の並べ替え後の順番に基づいて、読取対象情報の並べ替え前の順番を変更記憶部１０４から検索する。詳しくは、検索部１０７は、読取対象情報の並べ替え後の順番に対応付けられた並べ替え前の順番を変更記憶部１０４から検索する。検索部１０７は、読取対象情報の並べ替え前の順番を検索すると、読取対象情報の並べ替え前の順番に基づいて、正解記憶部１０５から読取対象情報に対する正解情報を取得する。
【０１３０】
図１４を参照して、記述式の答案用紙の正解情報を取得する方法を説明する。図１４を参照して、答案用紙Ｐ７の第１問について正解情報を取得する場合について説明する。なお、答案用紙Ｐ７の第２問以降の正解情報を取得する方法は、答案用紙Ｐ７の第１問と同様であるため、説明は省略する。
【０１３１】
検索部１０７は、答案用紙Ｐ７の第１問に対応する答案用紙Ｐ５の問題を、変更記憶部１０４から検索する。検索の結果、検索部１０７は、答案用紙Ｐ７の第１問と、答案用紙Ｐ５の第３問とが対応すると判定する。検索部１０７は、正解記憶部１０５を検索して、答案用紙Ｐ５の第３問の正解情報である「動詞」を取得する。
【０１３２】
続いて、図１５を参照して、選択式の答案用紙の正解情報を取得する方法を説明する。図１５を参照して、答案用紙Ｐ８の第１問について正解情報を取得する場合について説明する。なお、答案用紙Ｐ８の第２問以降の正解情報を取得する方法は、答案用紙Ｐ８の第１問と同様であるため、説明は省略する。
【０１３３】
検索部１０７は、答案用紙Ｐ８の第１問の第３選択肢ｃに対応する答案用紙Ｐ６の第１問の選択肢を変更記憶部１０４から検索する。検索の結果、検索部１０７は、答案用紙Ｐ８の第１問の第３選択肢ｃと、答案用紙Ｐ６の第１問の第４選択肢ｄとが対応することと判定する。検索部１０７は、正解記憶部１０５を検索して、答案用紙Ｐ５の第１問の第４選択肢ｄが「正解であること」を取得する。
【０１３４】
判定部１０８は、抽出部１０１によって抽出された解答情報と、検索部１０７によって取得された正解情報とが、同一であるか否かを判定する。
【０１３５】
採点部１０９は、判定部１０８が同一であると判定した読取対象情報の数に基づいて、採点結果を生成する。採点結果は、例えば、「獲得した点数／満点」で示すならば「２３／２５点」である。
【０１３６】
採点部１０９は、問題に応じて配点を変えてもよい。例えば、容易な問題には点数を少なく配点し、難解な問題には点数を多く配点してもよい。問題に応じて配点を変えた場合、採点部１０９は、配点に応じて採点結果を生成する。
【０１３７】
答案用紙は、複数科目の問題を含んでいてもよい。例えば、数学と、科学とが同一の答案用紙に記載されていてもよい。この場合、採点部１０９は、複数科目の合計点を算出し、科目ごとの得点を算出する。合計点は、例えば、５０５点である。科目ごとの得点は、例えば、「文法  ２３／２５点、科学  １３／２５点、・・・」である。
【０１３８】
設定部１１０は、採点部１０９が採点する問題の配点等を設定する。設定部１１０は、具体的には、問題によって配点が異なるように採点部１０９を設定する。例えば、設定部１１０は、「文法の第１３番目の問題の配点は５点」、「科学の７番目の問題の配点は３点」、及び「それ以外の問題は１点」となるように採点部１０９の配点を設定する。
【０１３９】
集計部１１１は、受験者ごとの採点結果を集計して集計結果を生成する。集計結果は、例えば、名前順、及び点数順のような順番に基づいて、複数受験者の採点結果を並べなおした表である。集計結果は、例えば、複数の受験者の成績の比較、及び再試験者の特定に利用する。
【０１４０】
等級部１１２は、採点結果に応じて受験者を等級分けする。等級分けとは、例えば、受験者を「Ａ〜Ｅ」、及び「５〜１」の五段階、又は「優、良、可、不可」の４段階に分けることである。採点結果は、集計結果に記載する。
【０１４１】
出力部１１３は、採点結果、及び／又は集計結果を外部に出力する。具体的には、採点結果、及び／又は集計結果を電子メール、及び／又は印刷によって外部に出力する。電子メールアドレス等の各種情報は、ネットワーク２を介してデータベースサーバー３から入手する。出力された電子メールは、ネットワーク２を介して、受験者、及び試験担当者の情報処理端末４に送信される。また、印刷による出力は、画像形成部７０が用紙Ｐに印刷することにより実行する。
【０１４２】
次に、図７、図１６〜図１９を参照して、受験者の解答が記入された答案用紙を画像形成装置１が採点して、集計したのち、出力するまでの動作について説明する。図１６は、画像形成装置１の動作を示すフローチャートである。
【０１４３】
図１１に示す動作は、試験担当者が、画像形成装置１にログインして、試験用アプリケーションプログラムを立ち上げることによって開始する。試験用アプリケーションプログラムが立ち上がると、制御部１００は、第１画面Ｇ１が表示されるように、ディスプレー１１ａを制御する。
【０１４４】
ステップＳ３０１において、図７を参照して説明した第１画面Ｇ１の表示中に、試験担当者が「採点」キーＧ１３を押して「採点」を選択すると、制御部１００は、第５画面が表示されるように、ディスプレー１１ａを制御する。第５画面については、図１７を参照して後に説明する。動作はステップＳ３０２に進む。
【０１４５】
ステップＳ３０２において、第５画面表示中に、試験担当者が採点対象の試験を選択する。試験担当者が採点対象の試験を選択すると、制御部１００は、第６画面が表示されるように、ディスプレー１１ａを制御する。第６画面については、図１８を参照して後に説明する。動作はステップＳ３０３に進む。
【０１４６】
ステップＳ３０３において、第６画面表示中に、試験担当者が採点結果の出力方法を選択する。動作はステップＳ３０４に進む。
【０１４７】
ステップＳ３０４において、第６画面表示中に、試験担当者が原稿搬送部３０に解答が記入された答案用紙を載置する。試験担当者は、解答が記入された答案用紙を読取部２０が読取るように操作部１０を操作する。読取部２０は、解答が記入された答案用紙を読取って、解答画像を生成する。動作はステップＳ３０５に進む。
【０１４８】
ステップＳ３０５において、検索部１０７は、読取対象情報の並べ替え後の順番に基づいて、読取対象情報の並べ替え前の順番を変更記憶部１０４から検索する。検索部１０７は、読取対象情報の並べ替え前の順番に基づいて、読取対象情報に対する正解情報を取得する。抽出部１０１は、解答画像から解答情報を抽出する。判定部１０８は、取得された正解情報と、抽出された解答情報とが同一であるか否かを判定する。採点部１０９は、判定部１０８が取得された正解情報と、抽出された解答情報とが同一であると判定した問題の数又は選択肢の数に基づいて、採点結果を生成する。なお、問題により配点が異なる場合には、配点に基づいて、採点結果を生成する。動作はステップＳ３０６に進む。
【０１４９】
ステップＳ３０６において、集計部１１１は、採点結果を受験者ごとに集計して集計結果を生成する。等級部１１２は、集計結果に記載の採点結果に応じて受験者を等級分けする。動作はステップＳ３０７に進む。
【０１５０】
ステップＳ３０７において、出力部１１３は、採点結果、及び／又は集計結果を外部に出力する。例えば、出力部１１３は、採点結果、及び／又は集計結果を外部装置に電子メールで送信する。出力部１１３は、データベースサーバー３から入手した各種情報（電子メールアドレス、及び電子メールの定型文）に基づいて採点結果、及び／又は集計結果を外部装置に電子メールで送信する。
【０１５１】
具体的には、出力部１１３は、採点結果を各受験者に電子メールで送信する。受験者に送信される電子メールについては、図１９（ａ）を参照して後に説明する。また、出力部１１３は、集計結果を試験担当者に電子メールで送信する。試験担当者に送信される電子メールについては、図１９（ｂ）を参照して後に説明する。電子メールが送信されると、図１６に示す動作は完了し、受験者は採点結果を受け取り、試験担当者は試験の採点結果を受け取る。
【０１５２】
図１７〜図１９を参照して、画像形成装置１のディスプレー１１ａ、受験者の情報処理端末４、及び試験担当者の情報処理端末４に表示される画面について説明する。
【０１５３】
図１７は、採点対象となる試験を選択する第５画面Ｇ５を示す。第５画面Ｇ５は、画像形成装置１のディスプレー１１ａに表示される。
【０１５４】
図１７に示すように、第５画面Ｇ５は、表示欄Ｇ５１と、スクロールバーＧ５２と、「キャンセル」キーＧ５３と、「ＯＫ」キーＧ５４とを表示する。「キャンセル」キーＧ５３、及び「ＯＫ」キーＧ５４は、ソフトキーである。
【０１５５】
表示欄Ｇ５１は、採点対象となる試験を選択するためのリストボックスである。試験担当者は、一つ又は複数の試験を採点対象となる試験として選択することができる。図１７において、表示欄Ｇ５１は、採点対象として「文法  試験番号０１１」が選択されたことを示す。スクロールバーＧ５２は、表示欄Ｇ５１の表示領域を変更して、一度に表示できない情報を表示するためのスクロールバーである。
【０１５６】
試験担当者が「キャンセル」キーＧ５３を押した場合、表示欄Ｇ５１での選択が無効になり、採点対象を再度設定する必要がある。反対に、試験担当者が「ＯＫ」キーＧ５４を押した場合、採点部１０９は採点対象が表示欄Ｇ５１で選択された試験であるとして採点する。
【０１５７】
図１８は、出力方法を選択する第６画面Ｇ６を示す。第６画面Ｇ６は、画像形成装置１のディスプレー１１ａに表示される。
【０１５８】
図１８に示すように、第６画面Ｇ６は、並べ方欄Ｇ６１と、出力方法欄Ｇ６２と、「キャンセル」キーＧ６３と、「ＯＫ」キーＧ６４とを表示する。「キャンセル」キーＧ６３、及び「ＯＫ」キーＧ６４は、ソフトキーである。
【０１５９】
並べ方欄Ｇ６１は、集計結果において「成績順」、「名前順」、及び「受験番号順」のうち、いずれの順番で複数の受験者を並べるかを設定する。図１８において、並べ方欄Ｇ６１は、ラジオボタンである。試験担当者は、「成績順」、「名前順」、及び「受験番号順」のいずれかの中から１つを選択する。集計部１１１は、選択された順番で受験生を並びなおした集計結果を生成する。図１８において、並べ方欄Ｇ６１は、受験者を点数順で並べることが選択されていることを示す。したがって、集計部１１１は、受験者を点数順で並べた集計結果を生成する。
【０１６０】
出力方法欄Ｇ６２は、「送信、及び印刷」、「送信のみ」、及び「印刷のみ」のうち、いずれの方法で出力するかを設定する。図１８において、出力方法欄Ｇ６２は、ラジオボタンである。試験担当者は、「送信、及び印刷」、「送信のみ」、及び「印刷のみ」のいずれかの中から１つを選択する。出力部１１３は、選択された方法で採点結果、及び／又は集計結果を外部に出力する。図１８において、出力方法欄Ｇ６２は、「送信のみ」で出力することが選択されていることを示す。したがって、出力部１１３は、電子メールによって採点結果、及び／又は集計結果を外部に出力する。
【０１６１】
図１９（ａ）は、受験者に送信される電子メールＭ１の本文を示す。電子メールＭ１の本文は、例えば、受験者の情報処理端末４の表示装置に表示される。
【０１６２】
電子メールＭ１は、宛名Ｍ１１と、定型文Ｍ１２と、採点結果Ｍ１３とを表示する。宛名Ｍ１１は、電子メールＭ１の宛先である受験者の氏名を示す。図１９（ａ）において、宛名Ｍ１１は、電子メールＭ１の宛先が「山田  太郎」であることを示す。定型文Ｍ１２は受験者に送られる電子メールＭ１の定型文を示す。図１９（ａ）において、定型文Ｍ１２は、定型文「中間テストの採点結果をご連絡します。」を示す。採点結果Ｍ１３は、受験者ごとの採点結果を示す。図１９（ａ）において、採点結果Ｍ１３は、「文法  試験番号０１１」の点数が「２３／２５点」であることの採点結果を示す。
【０１６３】
図１９（ｂ）は、試験担当者に送信される電子メールＭ２の本文を示し、試験担当者の情報処理端末の表示装置に表示される。
【０１６４】
電子メールＭ２は、宛名Ｍ２１と、定型文Ｍ２２と、集計結果Ｍ２３とを表示する。宛名Ｍ２１は電子メールＭ２の宛先を示す。図１９（ｂ）において、宛名Ｍ２１は、電子メールＭ２の宛先が試験担当者であることを示す。定型文Ｍ２２は試験担当者に送られる電子メールＭ２の定型文を示す。図１９（ｂ）において、定型文Ｍ２２は、定型文「中間テストの集計結果をご連絡します。」を示す。集計結果Ｍ２３は、集計結果を等級別に並べた結果を示す。図１９（ｂ）において、集計結果Ｍ２３は、成績が５番目の受験生は、氏名が「山田  太郎」、受験番号が「１０３９４」、採点結果が「８０／１００」、等級が「Ａ」であることを示す。
【０１６５】
図１〜図１９に示すように、本実施形態の画像形成装置１は、試験問題を一度登録すれば、問題文の並び順が替えられた答案用紙を自動的に作成できる。また、本実施形態の画像形成装置１は、人手を使用せずに、解答が記入された答案用紙を採点する。そのため、画像形成装置１のユーザーである試験担当者の利便性を向上できる。
【０１６６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（６））。図面は、理解し易くするために、それぞれの構成要素を主体に模式的に示しており、図示された各構成要素の個数等は、図面作成の都合上から実際とは異なる場合がある。また、上記の実施形態で示す各構成要素の形状等は一例であって、特に限定されるものではなく、本発明の構成から実質的に逸脱しない範囲で種々の変更が可能である。
【０１６７】
（１）図１〜図１９を参照して説明したように、本実施形態では、画像形成装置１はカラー複合機であるが、本発明はこれに限定されない。本発明は、モノクロ複合機でもよいし、カラーコピー機又はモノクロコピー機であってもよい。
【０１６８】
（２）本実施形態では、画像形成装置１は、電子写真方式の複合機であったが、本発明はこれに限定されない。画像形成装置１は、例えば、インクジェット記録方式の複合機であってもよい。
【０１６９】
（３）本実施形態では、画像形成装置１は問題文、又は、問題文に対する選択肢のいずれかを並べ替えていたが、本発明はこれに限定されない。問題文、及び、問題文に対する選択肢の両方を並べ替えてもよい。また、記述式、及び選択式の両方を含む答案用紙を作成してもよい。
【０１７０】
（４）本実施形態では、正解情報は正解記憶部１０５に記憶されていたが、本発明はこれに限定されない。例えば、データベースサーバー３が正解情報を記憶しており、解答の正否を判定するたびに正解情報をデータベースサーバー３から送信してもよい。
【０１７１】
（５）本実施形態では、画像形成装置１の設定は、操作部１０により行っていたが、本発明はこれに限定されない。例えば、試験担当者の情報処理端末４から、正解の登録、配点の登録等を設定してもよい。
【０１７２】
（６）本実施形態では、採点結果及び集計結果は、電子メールにより出力されていたが、本発明はこれに限定されない。採点結果及び集計結果を画像形成部７０により用紙Ｐに印刷してもよい。
【産業上の利用可能性】
【０１７３】
本発明は、画像形成装置に利用可能である。
【符号の説明】
【０１７４】
１      画像形成装置
２０    読取部
１００  制御部
１０１  抽出部
１０２  割当部
【図１】
2020068476.tif 000003
【図２】
2020068476.tif 000004
【図３】
2020068476.tif 000005
【図４】
2020068476.tif 000006
【図５】
2020068476.tif 000007
【図６】
2020068476.tif 000008
【図７】
2020068476.tif 000009
【図８】
2020068476.tif 000010
【図９】
2020068476.tif 000011
【図１０】
2020068476.tif 000012
【図１１】
2020068476.tif 000013
【図１２】
2020068476.tif 000014
【図１３】
2020068476.tif 000015
【図１４】
2020068476.tif 000016
【図１５】
2020068476.tif 000017
【図１６】
2020068476.tif 000018
【図１７】
2020068476.tif 000019
【図１８】
2020068476.tif 000020
【図１９】
2020068476.tif 000021